(57)【特許請求の範囲】
【請求項１】
連結部により連結されて見開き状に開閉可能な一対の方形プレートを備え、
前記一対の方形プレートが閉じられた状態で外側となる面の一方に、上下に並設された２つの袋体を設け、
前記一対の方形プレートが閉じられた状態で内側となる面の一方に、開口部が重ならないように上下に並設された非相似形の２つの差し入れ部を設け、
前記一対の方形プレートが閉じられた状態で内側となる面の他方に、紙面を挟んで固定するバイト金具が上部に設けられている用箋挟みであって、
前記袋体のそれぞれは、撥水性素材によって形成され、上部に開口する出し入れ部が形成されると共に前記出し入れ部を開閉する蓋部が一体に設けられているものであり、
上側の前記差し入れ部は、略矩形状に形成され、両脇と下辺のそれぞれの縁部を前記方形プレートの内面に接合させることにより構成され、上辺部分を上方に向けて開口する開口部とし、上辺を、前記連結部に近い側が遠い側よりも下側となるように前記下辺に対して傾斜させて形成されたものであり、
下側の前記差し入れ部は、略三角形状に形成され、前記方形プレートの長手方向に沿った辺と下辺のそれぞれの縁部を前記方形プレートの内面に接合させることにより構成され、斜辺部分を前記連結部側に向けて開口する開口部としたものであることを特徴とする用箋挟み。
【請求項２】
前記バイト金具に対向する方形プレートの上部には、前記バイト金具に相当する位置にバイト金具露出用の切り欠き部が形成されることを特徴とする請求項１記載の用箋挟み。
【請求項３】
前記一対の方形プレートの連結部には、筆記具を装着する装着機構が設けられていることを特徴とする請求項１又は２に記載の用箋挟み。
【発明の詳細な説明】
【技術分野】
【０００１】
本発明は、オペレータが点検修理作業のために現場で必要な作業票、補助標識、系統図、操作要領書、操作禁止札等を現場に携帯するために使用する用箋挟みに関する。
【背景技術】
【０００２】
従来の用箋挟みとして、特許文献１乃至３に示されるものが公知となっている。このうち、特許文献１は、ボードの一辺付近に用紙挟持用のクリップを備え付けて構成されるクリップボードにおいて、上記ボードに環状の伸縮ベルトを移動自在に巻き付け、且つその伸縮ベルトにこれを上記ボードの裏面の所望位置で固着する保持部材を付設したクリップボードを開示する。
【０００３】
特許文献２は、挟み込んだ用箋が滑り落ちることの少ない紙挟みを提供するために、台板と、一方側部分に挟持部が形成され、他方側部分に開用押圧部が形成され、挟持部が台板に対して開閉できるように中間部分が台板に回転自在に支持される挟持部材と、挟持部材の挟持部を台板側に付勢する付勢部材とを含み、挟持部材の挟持部の台板側領域に滑り止め部材を設けた紙挟みを開示する。
【０００４】
特許文献３は、台板と、この台板に設けられた挟み金と、この挟み金にほぼ並設するように台板に設けられた用箋の押さえ部材と、前記挟み金で挟止された用箋を挟み止める袋部とで構成された多用途用箋挟みを開示する。
【先行技術文献】
【特許文献】
【０００５】
【特許文献１】実開昭６１−８１９８２号公報
【特許文献２】特開２００４−３３０４９１号公報
【特許文献３】実開平２−６１６８５号公報
【発明の概要】
【発明が解決しようとする課題】
【０００６】
通常、オペレータが現場で点検修理作業を実施する場合、作業票、補助標識、系統図、操作要領書、操作禁止札等が必要になるが、現状では、作業票他一式を書類回覧用用箋挟みにまとめて現場操作に出向き、現場で作業票一式の出し入れや記述を行うようにしている。
【０００７】
しかしながら、書類回覧用用箋挟みは固定クリップが１つだけであるため、作業票他一式を１箇所でまとめて固定しなければならず、これら作業票一式が一箇所に嵩張って利用しにくくなり、効率的な出し入れ操作や記述操作ができなくなるという不具合がある。具体的には、
（１）作業票一式が嵩張るため、運搬・操作時に作業票一式が脱落・紛失する恐れがあること、
（２）作業票一式が嵩張るため、それぞれを確認しにくくなり、また要領書等に記述しにくくなること、
（３）作業票一式をまとめて固定しているため、作業票や操作札の出し入れに時間がかかること、
（４）作業票一式をまとめて固定しているため、作業票や操作札を出し入れする際、他の紙面類が脱落する恐れがあること、
（５）作業票一式が外部に晒されているため、紙面が汚れたり雨天時に濡れたりすること
などの不具合がある。
【０００８】
本発明は、係る事情に鑑みてなされたものであり、上述した不具合を解消すると共に、作業票一式を現場で効率的且つ容易に利用することができる用箋挟みを提供することを主たる課題としている。
【課題を解決するための手段】
【０００９】
しかして、本発明の用箋挟みは、上述した課題を達成するために、連結部により連結されて見開き状に開閉可能な一対の方形プレートを備え、前記一対の方形プレートが閉じられた状態で外側となる面の一方に、上下に並設された２つの袋体を設け、前記一対の方形プレートが閉じられた状態で内側となる面の一方に、開口部が重ならないように上下に並設された非相似形の２つの差し入れ部を設け、前記一対の方形プレートが閉じられた状態で内側となる面の他方に、紙面を挟んで固定するバイト金具が上部に設けられている用箋挟みであって、前記袋体のそれぞれは、撥水性素材によって形成され、上部に開口する出し入れ部が形成されると共に前記出し入れ部を開閉する蓋部が一体に設けられているものであり、上側の前記差し入れ部は、略矩形状に形成され、両脇と下辺のそれぞれの縁部を前記方形プレートの内面に接合させることにより構成され、上辺部分を上方に向けて開口する開口部とし、上辺を、前記連結部に近い側が遠い側よりも下側となるように前記下辺に対して傾斜させて形成されたものであり、下側の前記差し入れ部は、略三角形状に形成され、前記方形プレートの長手方向に沿った辺と下辺のそれぞれの縁部を前記方形プレートの内面に接合させることにより構成され、斜辺部分を前記連結部側に向けて開口する開口部としたものであることを特徴とするものである。
【００１０】
このような構成とすることで、持参する作業票他一式を、用途に応じて整理して３つの面に分配して収容することができ、一箇所の面に集中することがないので、それぞれの面が嵩張ることを回避することが可能となる。
【００１１】
また、上下に並設された２つの袋体が方形プレートの外側の面の一方に設けられているので、札類や標識類を収容して嵩張っても差し支えなく、他の面に影響を与えることがない。また、それぞれの袋体は、撥水性素材によって形成されているので、汚れ防止や雨天時の防水対策となり、さらに出し入れ部に蓋部が形成されているので、収容した札類や標識類の脱落の恐れがなくなる。
ここで、蓋部には落下防止用の返しが形成されることが望ましい。尚、札類としては、操作禁止札などがあり、標識類としては、補助標識等がある。
【００１２】
さらに、２つの差し入れ部が、方形プレートの内側の面の一方に設けられているので、汚れを防止できると共に雨天時の防水対策を図ることが可能となる。また、上方からの作業票の差し込みを許容するように開口部が開口しているので、作業票用スペースへの作業票の出し入れが容易となる。
【００１３】
さらにまた、バイト金具が、方形プレートが閉じられた状態で内側となる面の他方に設けられているので、汚れを防止できると共に雨天時の防水対策を図ることが可能となる。また、要領書等の記入する機会の多い紙面のみをバイト金具で挟むようにして保持することが可能となるので、筆記用具による記入がし易いものとなる。
【００１４】
なお、上述の構成において、袋体を方形プレートの内側にすると、袋体に札類や標識類を収容した場合に厚みが大きくなるので、閉じようとした際に方形プレートがきちんと閉じることができない不都合がある。このため、上述したように、袋体は方形プレートの外側の面に形成することが好ましく、また、差し入れ部やバイト金具は、現場での汚れ防止や雨天時の防水対策として、方形プレートの内側の面に形成することが好ましい。
【００１５】
また、バイト金具に対向する方形プレートの上部には、前記バイト金具に相当する位置にバイト金具露出用の切り欠き部が形成されることが望ましい。
これによって、本願発明に係る用箋挟みを閉じた場合、バイト金具が切り欠き部に収容されるので、用箋挟みを隙間なく閉じることができ、紙面用スペースに保持された紙面の汚れ防止及び雨天時の防水対策を効果的に図ることが可能となる。
【００１６】
また、一対の方形プレートの連結部分に、ペン等の筆記用具を装着できる装着機構を具備することが望ましい。
【発明の効果】
【００１７】
以上述べたように、本発明によれば、作業票一式が嵩張ることがないため、作業票一式を現場で効率的かつ容易に利用することができ、使い易い用箋挟みを提供することが可能となる。具体的には、
（１）種類別に保管できるため嵩張ることがなくなり、作業票一式の脱落、紛失を防止することが可能となる、
（２）種類別に保管できるため嵩張ることがなくない、確認・記述がしやすくなる、
（３）種類別に保管できるため作業票や操作札の出し入れが容易となり、出し入れが短時間で行える、
（４）種類別に保管できるため作業票や操作札の出し入れをする際、他の紙面類が脱落することがなくなる、
（５）作業票や筆記具で記入することを予定した紙面が外部に晒されて、紙面が汚れたり、雨天時に濡れたりすることがなくなる、
等の効果を奏するものである。
【図面の簡単な説明】
【００１８】
【図１】図１は、本発明に係る用箋挟みの全体構成を示す図であり、（ａ）は、用箋挟みの見開き状態に開いた状態の外側２面を示した平面図であり、（ｂ）は、用箋挟みの見開き状態に開いた状態の内側２面を示した平面図である。
【図２】図２は、本発明に係る用箋挟みの操作札用スペースが形成された面を示す斜視図である。
【図３】図３は、本発明に係る用箋挟みの作業票用スペースが形成された面を示す斜視図である。
【図４】図４は、本発明に係る用箋挟みの紙面用スペースが形成された面を示す斜視図である。
【発明を実施するための最良の形態】
【００１９】
以下、この発明の実施形態を添付図面を参照しながら説明する。
【００２０】
図１（ａ），（ｂ）に示すように、本願発明に係る用箋挟み１は、連結部（折り返し部）３０を介して見開き状に開閉可能な一対の方形プレート２，３によって構成されている。この見開き状に開閉可能な方形プレート２，３は、閉じた状態で外側となる一対の面４，５と、内側となる一対の面６，７とを有している。
【００２１】
このような方形プレートを用いて、外側および内側の４つの面のうち、３面を利用して、操作札用スペース８、作業票用スペース９、及び紙面用スペース１０がそれぞれ異なる面に形成されている。
操作札用スペース８は、方形プレート２，３の外側となる面に形成され、また、作業票用スペース９及び紙面用スペース１０は、方形プレート２，３の内側となる面にそれぞれ形成されている。
【００２２】
操作札用スペース８は、操作禁止札等の札類や補助標識等の標識類である操作札２０，２１を収納するスペースであり、図２にも示されるように、方形プレートが閉じられた状態で外側となる面のうち、後述する切り欠き部１３が形成されていない方形プレートの外面に形成されている。この操作札用スペースは、上下に並設された少なくとも２つの袋体８１によって構成され、それぞれの袋体８１は、透明の撥水性素材によって矩形状に形成されると共に、上部に開口する出し入れ部８１ａと、この出し入れ部８１ａを開閉する蓋部８１ｂとが一体に設けられている。
【００２３】
蓋部８１ｂは、落下防止用の返しを有して構成されており、必要に応じて、面ファスナー等の固定手段を設けて落下防止機能を高めるようにしてもよい。操作札２０，２１は嵩張るため、本案のように用箋挟み１の外側に設けることが好ましく、また蓋部８１ｂが設けられているので、一旦、操作札２０，２１を操作札用スペース８に収容すると、用箋挟みを逆さにしても、操作札２０，２１の落下を防止することが可能となる。
【００２４】
尚、方形プレートの外側となる面のうち、切り欠き部１３が形成されている方形プレートの外面には、用箋挟みの標題や部署名などを記入可能な記入欄又は記入した紙面やプレート等を挿入可能とする管理表記部７０，７１が設けられている。
【００２５】
作業票用スペース９は、作業票２２，２３を収納するスペースであり、図３にも示されるように、前記内側となる一方の面６の上下に並設された２箇所に作業票を差し入れ可能な差し入れ部９１を有して構成されている。それぞれの差し入れ部９１は、上方からの作業票２２，２３の差し入れを許容する開口部９１ａが形成されているもので、この例では、上側の差し入れ部９１は、略矩形状に形成された透明の樹脂シートを方形プレート３の内側となる面に両脇と下辺のそれぞれの側縁を接合させることによって構成されており、上辺を開口部９１ａとしている。この上辺は、下辺に対して傾斜するように形成され、作業票の上方からの差し入れ、取り出しがし易いようになっている。
【００２６】
また、下側の差し入れ部９１は、略三角形状に形成された透明の樹脂材シートを方形プレート３の内側となる面に方形プレートの長手方向に沿った長辺と下辺のそれぞれの側縁を接合させることによって構成されており、斜辺部分を開口部９１ａとしている。したがって、下側の差し入れ部９１にあっては、上方及び側方からの作業票の差し入れ、取り出しが可能となっている。
【００２７】
紙面用スペース１０は、系統図、要領書などの筆記具で記入することを予定した紙面（ペンでの記入にも対応できる紙面）２４を留めるためのスペースであり、図４にも示されるように、上部には前記紙面２４を固定するためのバイト金具１２が設けられ、このバイト金具１２によって紙面２４が固定されている。要領書は操作・確認後にチェックすることが必須であり、またメモや系統図には気づいた点等を記載することが頻繁にあるため、この紙面用スペース１０に配置することが望ましい。
【００２８】
また、方形プレート３の前記バイト金具１２に対向する位置には、バイト金具１２の厚さを許容するための切り欠き部１３が形成されている。これによって、用箋挟み１はバイト金具１２が所定の厚さを有していても、用箋挟みを閉じた際には、バイト金具を切り欠き部に収容することが可能となり、方形プレート２，３を隙間を空けずに重ね合わせることが可能となる。
【００２９】
また、用箋挟み１の連結部（折り返し部）３０には、ペンなどの筆記用具を固定するためのホルダ部（装着機構）４０を設けることが望ましい。
このホルダ部４０は、筆記用具を挿入できるような袋状、筒状に形成されたものであっても、ペン等のクリップを係止するものであっても、筆記用具を挟持する挟持片を設けるものであってもよい。
【００３０】
以上の構成により、本願発明に係る用箋挟み１によれば、嵩張る操作札用スペース８，８を用箋挟み１の外側に設けると共に、作業票用スペース９，９、紙面用スペース１０を用箋挟み１の内側に設けたので、種類別に保管することが可能となるため嵩張ることがなくなり、作業票等の脱落・紛失を防止することが可能となる。
【００３１】
また、種類別に保管できるため、確認・記述がしやすくなり、また作業票や操作札などの出し入れが容易になる。さらに、作業票や操作札を出し入れする際に、他の紙面類が脱落することもなくなる。
【００３２】
さらにまた、用箋挟み１が見開き状に開閉可能であることから、内側に配置された作業票や系統図、要領書などの紙面類が、持ち運び時に汚れることを防止することができ、また、雨水などによって濡れることを防止することが可能となる。
【符号の説明】
【００３３】
１ 用箋挟み
２，３ 方形プレート
４，５ 外側の面
６，７ 内側の面
８ 操作札用スペース
９ 作業票用スペース
１０ 紙面用スペース
１２ バイト金具
１３ 切り欠き部
２０，２１ 作業札
２２，２３ 作業票
２４ 紙面
３０ 連結部（折り返し部）
４０ ホルダ部（装着機構）
８１ 袋体
８１ａ 出し入れ部
８１ｂ 蓋部
９１ 差し入れ部
９１ａ 開口部
【図１】
0005121903.tif 000002
【図２】
0005121903.tif 000003
【図３】
0005121903.tif 000004
【図４】
0005121903.tif 000005